(57)【要約】【課題】  過剰な力量を必要とせず、かつ作業性を高めることができるネジ締緩装置を提供する。【解決手段】  ネジ締緩装置１は、ネジ部品であるリングナットを挿入し固定する筐体２と、リング構造体３と、ハンドル４とを備えており、リング構造体３にハンドル４が移動可能な状態で貫通しており、ハンドル４の両端にはグリップ部５ａ・５ｂが設けられている。上記の構成により、ハンドル４の一方の端にリング構造体３を寄せて配設することができるとともに、寄せて配設した場合にハンドル４がリング構造体３から離脱する危険性はない。【選択図】  図１
2006281366.tif 000002
【特許請求の範囲】
【請求項１】
ネジ部品を取付ける対象である取付け対象物に対して、当該ネジ部品を締緩するためのネジ締緩装置であって、
上記ネジ部品を保持できるように構成されたネジ保持手段と、
上記ネジ保持手段に保持された上記ネジ部品を、ネジ保持手段を介して、ネジ部品の中心軸を中心に回転させる棒形状の操作手段とを備え、
上記ネジ保持手段には、上記操作手段が上記棒形状の軸の方向に移動可能な状態で貫通する貫通部が設けられており、
上記操作手段の両端は、上記貫通部を通過できない構成になっていることを特徴とするネジ締緩装置。
【請求項２】
上記ネジ保持手段は、上記ネジ部品を内部に挿入できるように構成された筐体であることを特徴とする請求項１に記載のネジ締緩装置。
【請求項３】
上記貫通部は、リング構造体であることを特徴とする請求項１または２に記載のネジ締緩装置。
【請求項４】
上記貫通部は、上記筐体を構成する面のうちの対向する一対の面にそれぞれ設けられた穴部であり、
上記操作手段は、上記穴部を貫通するとともに、上記筐体の内部を貫通するように設けられていることを特徴とする請求項２に記載のネジ締緩装置。
【請求項５】
上記ネジ部品は、リングナットであることを特徴とする請求項１から４の何れか１項に記載のネジ締緩装置。
【発明の詳細な説明】
【技術分野】
【０００１】
本発明は、ネジ締緩装置に関し、詳細には、過剰な力量を必要とせず、かつ作業性を高めたネジ締緩装置に関するものである。
【背景技術】
【０００２】
一般に、回分式遠心濾過機、ヌッチェなどの濾過機、タンク、反応容器などには、内容物の取り出し、内部の洗浄、配管接続等の目的のためにサイドマンホールと一般的に称されるような開口部が設けられている。図８に、このサイドマンホールおよび、サイドマンホールを開閉するための開閉手段の構成を示す。図８に示すサイドマンホール２０は、回分式遠心濾過機２１の側面に設けられており、サイドマンホール２０によって濾過して得られたケーキを回収することができる。このサイドマンホール２０には、図８に示すように開閉手段２２が複数設けられており、この開閉手段２２によってサイドマンホール２０が回分式遠心濾過機２１の開口部に対して開閉するように構成されている。以下に、開閉手段２２について説明する。図８に示した構造の開閉手段２２は、ネジ部およびリング部から構成されており、一般にリングナットと呼ばれている。一般的に用いられている六角ボルトよりもサイドマンホール２０の開閉手段２２として上記のようなリングナットが用いられている理由としては、例えば以下のような点が挙げられる。すなわち、回分式遠心濾過機２１の場合、開閉手段２２が設けられた回分式遠心濾過機２１のホール周辺がゴムライニング仕上げの場合は、六角ボルトを用いたのでは締め付けが強く、ライニング部分が損傷して不具合が発生することが懸念される。以上のような点を考慮して、一般にはサイドマンホール２０の開閉手段２２としてはリングナットが使用される。
【０００３】
具体的には、開閉手段２２は、ネジ部をサイドマンホール２０と回分式遠心濾過機２１とに螺合することによって、サイドマンホール２０を回分式遠心濾過機２１に固着することができる。反対に、ネジ部を弛緩することによって、サイドマンホール２０を回分式遠心濾過機２１から離脱または開放することができる。
【発明の開示】
【発明が解決しようとする課題】
【０００４】
上述したようなリングナットを開閉手段２２として用いる場合、この開閉手段２２（リングナット）を締緩するための工具（以下、これをネジ締緩装置という）として、例えば以下に説明するような工具を用いる場合がある。図９は、上記のような工具として用いられている工具１００の構成を示した斜視図である。工具１００は、ネジ保持部材１０１と、ハンドル１０２ａおよびハンドル１０２ｂとを備えている。具体的には、ハンドル１０２ａおよびハンドル１０２ｂはそれぞれ、ネジ保持部材１０１の対向面から突出するように当該ネジ保持部材１０１に固定されている。ネジ保持部材１０１には、図８に示した開閉手段（リングナット）２２のリング部分が挿入できるように構成されている。このような構成の工具１００を用いることにより、具体的には、リング部分をネジ保持部材１０１に挿入し、作業者がハンドル１０２ａおよびハンドル１０２ｂを、ネジ保持部材１０１の中心軸１０１ａを中心に図中の矢印で示す方向に回動することにより、リング部分がネジ保持部材１０１とともに中心軸１０１ａを中心に回動する。これにより、開閉手段２２のネジ部がサイドマンホール２０および回分式遠心濾過機２１に設けられた図示しない雌ネジ部に螺合（締緩）する。これにより、サイドマンホール２０が回分式遠心濾過機２１のホールに対して開閉できる。
【０００５】
ところが、図９に示した工具１００は、上述のようにハンドル１０２ａおよび１０２ｂがネジ保持部材１０１に固定されていることから、特に開閉手段２２をサイドマンホール２０から開放させる方向に回転する場合に過剰な力量が必要となる。過剰な力量を使用しないとすれば、１０２ａ及び１０２ｂを長く延長しなければならないので、別の工具を準備しなければならないという問題があった。
【０００６】
そこで、本発明は、上記の問題点に鑑みてなされたものであり、その目的は、過剰な力量を必要とせず、作業性を高めたネジ締緩装置を提供することにある。
【課題を解決するための手段】
【０００７】
本発明に係るネジ締緩装置は、上述した課題を解決するために、ネジ部品を取付ける対象である取付け対象物に対して、当該ネジ部品を締緩するためのネジ締緩装置であって、上記ネジ部品を保持できるように構成されたネジ保持手段と、上記ネジ保持手段に保持された上記ネジ部品を、ネジ保持手段を介して、ネジ部品の中心軸を中心に回転させる棒形状の操作手段とを備え、上記ネジ保持手段には、上記操作手段が上記棒形状の軸の方向に移動可能な状態で貫通する貫通部が設けられており、上記操作手段の両端は、上記貫通部を通過できない構成になっていることを特徴としている。具体的には、上記ネジ部品が、リングナットであることが好ましい。
【０００８】
上記の構成とすることにより、１つの工具で過剰な力量を与えることなく、ネジを締緩することができ、かつ作業性を高めたネジ締緩装置を提供することができる。
【０００９】
具体的には、ネジ部品を保持するネジ保持手段に、ネジ部品を締緩するための操作手段が、移動可能な状態で貫通する貫通部が設けられていることから、作業者が本発明のネジ締緩装置を用いてネジ部品を締緩したい場合に、特に、ネジ部品を対象物から弛緩する方向に当該ネジ部品の中心軸を回転させる場合に、操作手段の一方の端にネジ保持手段が位置するようにを移動させることができる。これにより、従来のように過剰な力量を必要とすることなく実行することができる。
【００１０】
すなわち、本発明のネジ締緩装置は、棒形状の操作手段をネジ保持手段に設けた貫通部に通すことによって、操作手段の一端を力点と考えた場合、貫通部に支点と作用点が形成されることになる。ここで、貫通部は形状が一定であり、したがって、支点と作用点との距離は一定である。そのため、作用点に働く力が同じである場合、支点と力点との距離が長くなるほど力点に加える力は小さくてよいことになる。したがって、本発明のネジ締緩装置は、上記構成とすることにより、従来のように過剰な力量を実際に操作手段に負荷しなくても、操作手段の一方の端にネジ保持手段が位置するように移動させることによって、その力量に相当する力（作用）をネジ部品に及ぼすことができる。よって、作業性を向上させることができ、作業者が簡便にネジ部品を締緩させることができる。
【００１１】
さらに、上記操作手段の両端が上記貫通部を通過できない構成となっていることから、上述したようにネジ保持手段を操作手段の一端に寄せるように当該操作手段を移動させた場合であっても、操作手段が貫通部から抜けることがない。したがって、本発明の構成によれば、取り扱い易いネジ締緩装置を提供することができる。
【００１２】
また、本発明に係るネジ締緩装置は、上記ネジ保持手段が、上記ネジ部品を内部に挿入できるように構成された筐体であることが好ましい。
【００１３】
上記の構成とすることにより、ネジ部品を取付ける対象である取付け対象物に対して操作手段を用いてネジ部品を締緩する際に、当該ネジ部品を確実に固定させて締緩することができる。
また、本発明に係るネジ締緩装置は、上記貫通部をリング構造体とすることができる。
【００１４】
また、本発明に係るネジ締緩装置は、上記貫通部が、上記筐体を構成する面のうちの対向する一対の面にそれぞれ設けられた穴部であり、上記操作手段は、上記穴部を貫通するとともに、上記筐体の内部を貫通するように設けられた構成とすることも可能である。
【発明の効果】
【００１５】
本発明に係るネジ締緩装置は、以上のように、ネジ部品を取付ける対象である取付け対象物に対して、当該ネジ部品を締緩するためのネジ締緩装置であって、上記ネジ部品を保持できるように構成されたネジ保持手段と、上記ネジ保持手段に保持された上記ネジ部品を、ネジ保持手段を介して、ネジ部品の中心軸を中心に回転させる棒形状の操作手段とを備え、上記ネジ保持手段には、上記操作手段が上記棒形状の軸の方向に移動可能な状態で貫通する貫通部が設けられており、上記操作手段の両端は、上記貫通部を通過できない構成になっていることを特徴としている。
【００１６】
これにより、作業者が本発明のネジ締緩装置を用いてネジ部品を締緩したい場合に、特に、ネジ部品を対象物から弛緩する方向に回転させる場合に、操作手段の一方の端にネジ保持手段が位置するようにを移動させることができる。これにより、従来のように過剰な力量を必要とすることなく実行することができる。
【００１７】
また、上述したようにネジ保持手段を操作手段の一端に寄せるように当該操作手段を移動させた場合であっても、操作手段が貫通部から抜けることがない。したがって、本発明の構成によれば、取り扱い易いネジ締緩装置を提供することができる。
【発明を実施するための最良の形態】
【００１８】
本発明の実施の一形態について図１ないし図７に基づいて説明すれば、以下の通りである。
【００１９】
なお、以下の説明では、本発明を実施するために技術的に好ましい種々の限定が付されているが、本発明の範囲が、以下の実施形態および図面に限定されるものではない。
【００２０】
また、本実施の形態では、ネジ部品としてリングナットを用いた場合のネジ締緩装置について説明するが、本発明のネジ締緩装置は、ネジ部品をリングナットとした場合に限定されるものではなく、ネジの頭部が六角ボルト、蝶ナットのようなネジ部品であってもよい。
【００２１】
図１は、本実施の形態におけるネジ締緩装置１の構成を示す透視図である。図１に示すネジ締緩装置１は、例えば、図８に示したような回分式遠心濾過機のサイドマンホールに、サイドマンホールの開閉手段として設けられたリングナットを締緩するために使用することができる。ネジ締緩装置１を用いてリングナットをサイドマンホール２０と回分式遠心濾過機２１（図８）とに螺合することによって、サイドマンホール２０を回分式遠心濾過機２１に固着することができる。反対に、リングナットを弛緩することによって、サイドマンホール２０を回分式遠心濾過機２１から離脱または開放することができる。そのため、上記ネジ締緩装置１は、図１に示すように、筐体２と、リング構造体（貫通部）３と、ハンドル（操作手段）４とを備えている。
【００２２】
上記筐体２は、図１に示すように、筐体２を構成する六面のうちの一面が開口した構成となっており、この開口部分にリングナットを挿入することができる。筐体２の大きさは、締緩するリングナットの大きさによって適宜設定することができるが、例えば、１．５×７×９ｃｍ３の大きさにすることができる。なお、本実施の形態では、筐体２の内部に加工が施された構成ではないが、例えば、リングナットを安定して保持することができるような加工が施されていてもよい。具体的には、筐体２の内部がリングナットの形状に構成されていてもよい。また、リングナットが筐体２から離脱しないように筐体２内部を例えば、ゴムのような弾性部材で構成してもよい。
【００２３】
上記リング構造体３は、リングナットを締緩するためのハンドル４を配設するために設けられている。リング構造体３は、図１に示すように、上記筐体２の開口した面の対向面に設けられており、より詳細には、図１に示すリング構造体３の軸３ａが、後述するリングナットが挿入された際に当該リングナットの中心軸と一致するように筐体２に設けられている。リング構造体３には、ハンドル４が貫通して設けられており、ハンドル４は、リング構造体３に対して、その軸４ａの方向に移動可能となっている。
【００２４】
上記リング構造体３の内径は、例えばハンドル４の太さ等に応じて適宜設定することが可能である。例えば、ハンドルの太さが直径２ｃｍである場合はリング構造体３の内径を２．５ｃｍとすることができるが、この値に限定されるものではない。
【００２５】
また、リング構造体３は、リング形状であればその構造に特に制限はないが、例えばリングナットを用いて構成することができ、このリングナットを筐体２における上述した設置箇所に設けることによってこのリングナットをリング構造体３としてもよい。
【００２６】
しかしながら、本発明のネジ締緩装置は、リング構造体３として図１に示したような形状のものに限定されるものではなく、図２に示すような形状のものであってもよい。
【００２７】
また、図１に示す上記ハンドル４は、リングナットを締緩する操作手段として設けられている。具体的には、ハンドル４は、図１に示すように、上記リング構造体３を貫通するように設けられた棒形状の部材である。例えば作業者がハンドル４を操作することによって、リング構造体３と筐体２とを介して、筐体２内に挿入させたリングナットを、リングナットのネジ部の中心軸を中心に回転させることによって締緩させることができる。
【００２８】
また、ハンドル４の両端には、図１に示すようにグリップ部５ａおよび５ｂが設けられており、これらグリップ部５ａおよび５ｂは、リング構造体３の内径よりも大きい構造となっている。これにより、ハンドル４がリング構造体３から離脱することはない。
【００２９】
なお、本実施形態のハンドル４は、作業者がハンドル４を操作しやすようにその両端をグリップ形状としているが、本発明はこれに限定されるものではなく、ハンドル４がリング構造体３から離脱しない構成であればよく、例えば球体構造のものであってもよい。
【００３０】
以上のような構成のネジ締緩装置１を、リングナットを締緩するために用いた場合の操作方法について、以下に説明する。
【００３１】
まず、リングナットについて説明する。図３は、リングナットの構造を示す斜視図である。図３に示すリングナット６は、ネジ部７およびリング部８から構成されている。より詳細には、リング部８は、リング８ａと固定部８ｂとから構成されており、当該リング８ａは、固定部８ｂに貫通している。リング８ａは、その中心点Ｐを中心に回転することが可能であるとともに、固定部８ｂにおけるリング８ａ貫通部分を中心に回動することも可能である。
【００３２】
次に図４を用いて、図３に示したリングナット６を本実施の形態のネジ締緩装置１を用いて締緩する場合の操作方法を説明する。
【００３３】
図３に示したリングナット６を、図１に示した構成を備えたネジ締緩装置１の筐体２内に挿入することによって、リングナット６をネジ締緩装置１に固定する。リングナット６を固定後、ハンドル４をリング構造体３を中心として回転させる。これにより、リング構造体３と筐体２とを介してリングナット６が基板９（例えばサイドマンホール）に螺合する。反対に、ハンドル４をリング構造体３を中心として逆回転させることにより、リング構造体３と筐体２とを介してリングナット６が基板９（例えば図８に示したサイドマンホール２０）から離脱する。
【００３４】
ハンドル４の回転操作方法について以下に詳述する。上記のようなハンドル４の回転操作方法には、大きく２つに大別することができる。
【００３５】
１つ目の方法は、リング構造体３の中心軸３ａがハンドル４の中心に位置するようにハンドル４を配設し、グリップ部５ａおよび５ｂを、作業者が（例えばグリップ部５ａを右手で、グリップ部５ｂを左手で）握って回転させる方法である。これにより、例えば、ハンドル４のグリップ部５ａに図中の矢印ａの方向の力が負荷することによってリング構造体３におけるハンドル４のグリップ部５ａ側との接触点ｘに矢印ａ方向の力が加わる。これと同時に、ハンドル４のグリップ部５ｂに図中の矢印ｂの方向の力が負荷することによってリング構造体３におけるハンドル４のグリップ部５ｂ側との接触点ｙに矢印ｂ方向の力が加わるに通すことによって、ハンドル４の一端を力点と考えた場合、リング構造体３におけるグリップ部５ａ・５ｂに支点または作用点がそれぞれ形成されることになる。このように、グリップ部５ａおよび５ｂをそれぞれ作業者が握って操作することにより、作業領域が狭く、かつ、過剰な力量を必要としない場合には、回転半径を狭くして作業することができ、作業領域が広い所では、グリップ部５ａ又は５ｂの片方に寄せて、小さい力量で回転させることができる。しかもこれらを１つの工具で実施することができる。
【００３６】
２つ目の方法は、特に、リングナット６を基板９から離脱（弛緩）する場合に好適な操作方法である。具体的な操作方法を、図５に基づいて説明する。図５は、ネジ締緩装置１のハンドル４のグリップ部５ａ側にリング構造体３の中心軸３ａを配設した状態を示した斜視図である。図５に示すように、ハンドル４をリング構造体３の中心軸３ａに対して何れか一方（図５ではグリップ部５ａ側）に寄せて配設することにより、上記した１つ目の操作方法と同じ力量をグリップ部５ｂに負荷した場合に比べ、リング構造体３および筐体２を（すなわちリングナット６を）回転させる力は大きくなる。したがって、ハンドル４をリング構造体３の中心軸３ａに対して何れか一方に寄せて配設することによって、小さな力量で大きな作用をリングナット６に及ぼすことができる。
【００３７】
すなわち、ネジ締緩装置１は、棒形状のハンドル４を筐体２に設けたリング構造体３に貫通させることによって、ハンドル４のグリップ部５ｂを力点と考えた場合、リング構造体３との接触点ｘに支点が形成され、接触点ｙに作用点が形成されることになる。リング構造体３は形状が一定であるため、支点と作用点との距離（すなわち接触点ｘと接触点ｙとの距離）は常に一定である。その場合、支点と作用点との距離が常に同じであれば、支点と力点との距離が長いほど同じ力を力点に加えた場合に、作用点に働く力は大きくなる。すなわち、力点に加える力を変えなくても（大きくすることなく）、支点と力点との距離を長くとることによって、作用点に働く力を大きくすることができる。したがって、ハンドル４をリング構造体３の中心軸３ａに対して何れか一方（図５ではグリップ部５ａ側）に寄せて配設することにより、ハンドル１０２ａ・１０２ｂ（図９）が固定され、その長さが一定である従来の構成の工具１００（図９）に比べ、同じ力を作用点に与えるために力点に負荷しなくてはならない力量は小さい。すなわち、本実施形態のように、ハンドル４をリング構造体３の中心軸３ａに対して何れか一方に寄せて配設できる構成とすることにより、一般的には、特にリングナット６を基板９から離脱（弛緩）させる場合に大きな力を要するが、その力に相当する力量を実際に力点に負荷する必要はなく、ハンドル４をリング構造体３の中心軸３ａに対して何れか一方に寄せて支点と力点との距離を長くすることにより、負荷する力を変えることなくリングナット６に作用する力（基板９から離脱（弛緩）させる力）をリングナット６に負荷することができる。よって、上記の構成とすることにより、作業性を向上させることができる。
【００３８】
以上の点を考慮すると、リング構造体３の内径は、可能な限り小さいことが好ましい。内径を小さくすることによって、棒形状のハンドル４を用いて、リングナットを締緩する際、ハンドル４と、リング構造体３との接触点ｘと接触点ｙとの距離、すなわち支点と作用点との距離を短くすることができる。これにより、特に、筐体２をハンドル４の一端に寄せるように当該ハンドル４を移動させてリングナットを回転させる場合に、力点に負荷した力量を効率的に作用点へ伝えることが可能となる。
【００３９】
また、上記のように、グリップ部５ｂ（およびグリップ部５ａ）に大きな力を負荷することなく、リングナット６に大きな力を与えられることから、従来のネジ締緩装置（図９）のように過剰な力量を負荷する必要がない
また、ハンドル４には、上記したように、その両端にグリップ部５ａおよびグリップ部５ｂが設けられており、これらはリング構造体３から抜けない構成となっている。これにより、上記のようにハンドル４を一端に寄せるように移動させた場合であっても、ハンドル４がリング構造体３から離脱することはなく、作業者が作業を行なう際、取り扱い易い。
【００４０】
したがって、本実施の形態のネジ締緩装置１を用いることによって、過剰な力量を必要とせず、作業性を高めることができる。
【００４１】
なお、本実施の形態のネジ締緩装置１は、筐体２を構成する複数の面のうちの一面が全領域開口している。しかしながら、本発明はこれに限定されるものではなく、例えばリングナットの代わりに六角ボルト、蝶ナットなどを締緩させる場合には、上記の開口領域が六角ボルトの形状に開口していてもよい。
【００４２】
また、本実施の形態では、リングナット６として図３のような構造のものを説明したが、本発明はこれに限定されるものではない。例えば、図６に示すようなリングナット６’であってもよい。図６に示すリングナット６’は、図３に示すリングナット６におけるネジ部７が雌ネジ構造７’になっている。
【００４３】
なお、本実施の形態では、図１に示したように、ハンドル４は、筐体２の上部に設けられたリング構造体３に貫通させた構成となっているが、本発明はこれに限定されるものではなく、例えば、以下のような構成であってもよい。図７は、他の配設構成のハンドル４’を備えたネジ締緩装置１’の構成を示す斜視図である。図７に示すように、ネジ締緩装置１’は、筐体２’における対応する面にそれぞれ穴部１０ａおよび１０ｂが設けられており、ハンドル４’が穴部１０ａおよび１０ｂを貫通するとともに筐体２’の内部を貫通した構成であってもよい。
【００４４】
また、本実施の形態では、リングナット６を保持するために筐体２が用いられたが、本発明はこれに限定されるものではなく、リングナット等のネジ部品を保持（固定）することが可能な構成であればよい。
【００４５】
なお、本実施の形態は、あくまでも、本発明の技術内容を明らかにするものであって、そのような具体例にのみ限定して狭義に解釈されるべきものではなく、本発明の特許請求の範囲内で、様々な変更を行なって実施することができるものである。
【産業上の利用可能性】
【００４６】
本発明に係るネジ締緩装置は、棒形状の操作手段を備え、当該操作手段は、筐体に対して、その棒の軸の方向に移動可能であることから、余分な力を必要とすることなく筐体内部に挿入・固定したネジ部品を締緩することができる。
【００４７】
したがって、回分式遠心濾過機や釜などのサイドマンホールに開閉手段として上記のようなネジ部品が設けられた場合、その開閉（締緩）作業に本発明のネジ締緩装置を用いることにより、作業性の向上を図ることができるとともに、簡便な作業環境を提供することができる。
【図面の簡単な説明】
【００４８】
【図１】本発明の一実施形態に係るネジ締緩装置の構成を示す斜視図である。
【図２】図１に示すネジ締緩装置において、他の形状のリング構造体が設けられた場合のネジ締緩装置の構成を示した斜視図である。
【図３】図１に示す本発明の一実施形態に係るネジ締緩装置によって締緩されるネジ部品（リングナット）の構造を示した斜視図である。
【図４】図１に示す本発明の一実施形態に係るネジ締緩装置を用いてリングナットを締緩している状態を示した透視図である。
【図５】図１に示す本発明の一実施形態に係るネジ締緩装置を用いてリングナットを締緩している状態を示した透視図である。
【図６】図３に示すネジ部品（リングナット）の他の構造を示した斜視図である。
【図７】図１に示す本発明の一実施形態に係るネジ締緩装置において、他の構成のハンドルを備えている場合のネジ締緩装置の構成を示した斜視図である。
【図８】本発明のネジ締緩装置を用いて開閉できるサイドマンホールと、当該サイドマンホールが設けられた回分式遠心濾過機の構成を示した斜視図である。
【図９】従来技術におけるネジ締緩装置の構成を示す斜視図である。
【符号の説明】
【００４９】
１        ネジ締緩装置
２        筐体
３        リング構造体（貫通部）
４        ハンドル（操作手段）
５ａ・ｂ  グリップ部
６        リングナット（ネジ部品）
７        ネジ部
８        リング部
９        基板（取付け対象物）
【図１】
2006281366.tif 000003
【図２】
2006281366.tif 000004
【図３】
2006281366.tif 000005
【図４】
2006281366.tif 000006
【図５】
2006281366.tif 000007
【図６】
2006281366.tif 000008
【図７】
2006281366.tif 000009
【図８】
2006281366.tif 000010
【図９】
2006281366.tif 000011